(57)【要約】【課題】無線通信装置の金属部材を利用して、アンテナの機能を実現する無線通信装置を提供すること。【解決手段】本発明に係る無線通信装置は、フィードイン点及び接地点が設けられた回路基板と、回路基板の上面に設けられた液晶表示モジュール及び金属部品と、を備える。金属部品は、液晶表示モジュールの外周をカバーするように装着され、且つ接地点に電気的に接続されているフレームを備える。金属部品は、フレームと一体成形された少なくとも１つの金属レバーをさらに備え、少なくとも１つの金属レバーは、フレームの液晶表示モジュールから離れている側に設けられ、且つ回路基板のフィードイン点に電気的に接続されている。【選択図】図４
2014204442.tif 000002
【特許請求の範囲】
【請求項１】
フィードイン点及び接地点が設けられた回路基板と、前記回路基板の上面に設けられた液晶表示モジュール及び金属部品と、を備え、前記金属部品は、前記液晶表示モジュールの外周をカバーするように装着され、且つ前記接地点に電気的に接続されているフレームを備える無線通信装置であって、
前記金属部品は、前記フレームと一体成形された少なくとも１つの金属レバーをさらに備え、前記少なくとも１つの金属レバーは、前記フレームの前記液晶表示モジュールから離れている側に設けられ、且つ前記回路基板の前記フィードイン点に電気的に接続されることを特徴とする無線通信装置。
【請求項２】
前記回路基板には、キープ・アウト・ゾーンが設けられており、前記金属レバーは、前記キープ・アウト・ゾーンの上方に位置することを特徴とする請求項１に記載の無線通信装置。
【請求項３】
前記フレームは、それぞれの端部が順次に連接された第一フレーム、第二フレーム、第三フレーム及び第四フレームを備えることを特徴とする請求項１または２に記載の無線通信装置。
【請求項４】
前記金属レバーは、第一延伸部及び第二延伸部を備え、前記第一延伸部は、前記第一フレームと前記第四フレームとの連接部位から前記第一フレームに対して垂直に延在し、前記第二延伸部は、前記第一延伸部の末端から前記第一延伸部に対して垂直に且つ前記第一フレームに対して平行に延在し、前記第一延伸部は、前記回路基板の前記フィードイン点に電気的に接続されることを特徴とする請求項３に記載の無線通信装置。
【請求項５】
前記少なくとも１つの金属レバーは、第一金属レバー及び第二金属レバーを備え、前記第一金属レバー及び前記第二金属レバーは、それぞれ前記フレームと一体成形され且つ前記回路基板に設けられたフィードイン点に電気的に接続されることを特徴とする請求項３に記載の無線通信装置。
【請求項６】
前記第一金属レバーは、前記第一フレームと前記第二フレームとの接続部に連接され、前記第二金属レバーは、第一延伸部、第二延伸部、第三延伸部及び第四延伸部を備え、前記第一延伸部は、前記第一フレームの中間点に近い箇所に対して垂直に連接され、前記第二延伸部は、前記第一延伸部に対して垂直に連接され、且つ前記第四フレームまで前記第一フレームに対して平行に延在し、前記第三延伸部は、前記第二延伸部に対して垂直に連接され、且つ前記第一フレームから離れる方向に向かって延伸し、前記第四延伸部は、前記第三延伸部に対して垂直に連接され、且つ前記第二延伸部に対して平行となるように前記第一延伸部の外側まで延在することを特徴とする請求項５に記載の無線通信装置。
【請求項７】
回路基板と、前記回路基板の上面に設けられた液晶表示モジュール及び金属部品と、を備え、前記金属部品は、前記液晶表示モジュールの外周をカバーするように装着されるフレームを備える無線通信装置であって、
前記フレームの前記液晶表示モジュールから離れる側には、少なくとも１つの金属レバーが延出し、前記少なくとも１つの金属レバーが無線信号を送受信するために、前記少なくとも１つの金属レバーと前記フレームと前記回路基板とは閉鎖された電流経路を構成していることを特徴とする無線通信装置。
【請求項８】
前記回路基板には、フィードイン点及び接地点が設けられており、前記フレームは、前記接地点に電気的に接続され、前記少なくとも１つの金属レバーは、前記回路基板の前記フィードイン点に電気的に接続されることを特徴とする請求項７に記載の無線通信装置。
【発明の詳細な説明】
【技術分野】
【０００１】
本発明は、無線通信装置に関するものである。
【背景技術】
【０００２】
技術の発展及び消費者の無線通信製品に対する要求に伴い、無線通信製品は益々軽量化及び薄型化されている。現在、殆んどの無線通信製品に、強度及び放熱効果等に優れている金属部品（例えば、液晶表示パネルを固定するための筐体）が使用されている。しかし、この金属部品は、多くの空間を占有し且つ柔軟性がないため、無線通信装置のアンテナのレイアウトに影響を与える。従って、如何に金属製の部品を有する無線通信装置の構造下で、アンテナの特性を維持させるかが、現在の技術者の重要な課題である。
【発明の概要】
【発明が解決しようとする課題】
【０００３】
そこで、本発明は、無線通信装置の金属部材を利用して、アンテナの機能を実現する無線通信装置を提供することを目的とする。
【課題を解決するための手段】
【０００４】
上記の課題を解決するために、本発明に係る無線通信装置は、フィードイン点及び接地点が設けられた回路基板と、前記回路基板の上面に設けられた液晶表示モジュール及び金属部品と、を備える。前記金属部品は、前記液晶表示モジュールの外周をカバーするように装着され、且つ前記接地点に電気的に接続されているフレームを備える。前記金属部品は、前記フレームと一体成形された少なくとも１つの金属レバーをさらに備え、前記少なくとも１つの金属レバーは、前記フレームの前記液晶表示モジュールから離れている側に設けられ、且つ前記回路基板の前記フィードイン点に電気的に接続されている。
【０００５】
また、上記の課題を解決するために、本発明に係る無線通信装置は、回路基板と、前記回路基板の上面に設けられた液晶表示モジュール及び金属部品と、を備え、前記金属部品は、前記液晶表示モジュールの外周をカバーするように装着されるフレームを備える。前記フレームの前記液晶表示モジュールから離れる側には、少なくとも１つの金属レバーが延出し、前記少なくとも１つの金属レバーが無線信号を送受信するために、前記少なくとも１つの金属レバーと前記フレームと前記回路基板とは閉鎖された電流経路を構成している。
【発明の効果】
【０００６】
従来の技術と異なり、本発明の無線通信装置は、液晶表示モジュールを固定するための金属部品をアンテナとして使用し、配置空間及び他の機構部材を増加させない状況の下、金属部材を採用した前記無線通信装置に良好なアンテナ特性を持たせることができるため、ユーザの無線通信装置に対する要求を満たすことができる。
【図面の簡単な説明】
【０００７】
【図１】本発明の第一実施形態に係る無線通信装置の分解斜視図である。
【図２】本発明の第二実施形態に係る無線通信装置の分解斜視図である。
【図３】本発明の第三実施形態に係る無線通信装置の分解斜視図である。
【図４】図３に示した無線通信装置を組み立てた後の状態の一部拡大図である。
【図５】図３に示した無線通信装置のアンテナのリターンロスを示す図である。
【発明を実施するための形態】
【０００８】
図１に示すように、本発明の第一実施形態に係る無線通信装置１００は、携帯電話機、タブレットパソコン又は携帯情報端末等であり、且つ回路基板１０、液晶表示モジュール３０及び金属部品５０を備える。金属部品５０は、液晶表示モジュール３０の外周を取り囲むように装着され、且つ液晶表示モジュール３０と共に回路基板１０の上面に搭載される。本実施形態において、金属部品５０は、無線通信装置１００のアンテナとして機能することができる。
【０００９】
回路基板１０には、フィードイン点１２及び接地点１４が設けられている。フィードイン点１２は、無線通信装置１００のアンテナに電流をフィードインするために用いられる。接地点１４は、無線通信装置１００を接地させる役割を果たす。回路基板１０の一端には、キープ・アウト・ゾーン（ｋｅｅｐ−ｏｕｔ−ｚｏｎｅ）１６が設けられている。このキープ・アウト・ゾーン１６は、回路基板１０における導体が存在しないエリアである。また、キープ・アウト・ゾーン１６は、外部環境中の電池、振動器、ラッパ及び電荷結合素子（ｃｈａｒｇｅ  ｃｏｕｐｌｅｄ  ｄｅｖｉｃｅ，ＣＣＤ）等の電子部品が無線通信装置１００のアンテナを妨害して、無線通信装置１００の動作周波数のオフセット及び放射効率の低下を招くことを防止する。
【００１０】
本発明の第一実施形態において、金属部品５０は、フレーム５２及びフレーム５２と一体成形された金属レバー５４を含む。フレーム５２は、それぞれの端部が順次に連接された第一フレーム５２１、第二フレーム５２２、第三フレーム５２３及び第四フレーム５２４を備える。フレーム５２は、液晶表示モジュール３０の外周をカバーして、液晶表示モジュール３０を固定するために用いられる。また、フレーム５２は、ボルト等を介して回路基板１０に固定され、且つ回路基板１０の接地点１４に電気的に接続される。これにより、液晶表示モジュール３０が発生した静電荷は接地点１４を介してアースに導かれて、静電気防止の効果を実現する。
【００１１】
金属レバー５４は、フレーム５２の一端から延出し、且つ回路基板１０のキープ・アウト・ゾーン１６の上方に位置する。本実施形態において、金属レバー５４は、略「Ｌ」字状を呈し、第一延伸部５４２及び第二延伸部５４４を備える。第一延伸部５４２は、第一フレーム５２１と第四フレーム５２４との連接部位から、第一フレーム５２１に対して垂直に延在している。第二延伸部５４４は、第一延伸部５４２の末端から第一延伸部５４２に対して垂直に且つ第一フレーム５２１に対して平行に延在している。また、第一延伸部５４２は、バネ又はプローブ等を介して回路基板１０のフィードイン点１２に電気的に接続される。電流が金属レバー５４に流れると、電流はフレーム５２を経由して接地点１４に導かれて回路を形成する。これにより、金属レバー５４は、１種の無線周波モードを形成して、無線通信装置１００のアンテナとして無線信号を送受信する。設計及び製造の段階において、金属レバー５４のサイズを調節することにより、無線通信装置１００は、中心周波数が１５７５ＭＨｚの無線信号（例えば、ＧＰＳ）を送受信する時に、好ましい放射効率を獲得することができる。
【００１２】
図２に示すように、本発明の第二実施形態に係る無線通信装置２００は、回路基板２１０、液晶表示モジュール２３０及び金属部品２５０を備える。回路基板２１０には、フィードイン点２１２、接地点２１４及びキープ・アウト・ゾーン２１６が設けられている。金属部品２５０は、フレーム２５２及びフレーム２５２と一体成形された金属レバー２５４を含む。フレーム２５２は、それぞれの端部が順次に連接された第一フレーム２５２１、第二フレーム２５２２、第三フレーム２５２３及び第四フレーム２５２４を備える。金属レバー２５４は、第二フレーム２５２２の一端から垂直に延在し、且つ略「Ｌ」字状に折り曲げられている。金属部品２５０が回路基板２１０に装着された際、金属レバー２５４はキープ・アウト・ゾーン２１６の上方に位置する。金属レバー２５４は、第一延伸部２５４２及び第二延伸部２５４４を備える。第二実施形態において第一実施形態と異なる部分は、第一延伸部２５４２が、第一フレーム２５２１と第二フレーム２５２２との連接部位から、第一フレーム２５２１に対して垂直に延在し、第二延伸部２５４４が、第一延伸部２５４２の末端から第一フレーム２５２１に対して平行となるように延在している部分である。即ち、第二実施形態の金属レバー２５４は、第一実施形態の金属レバー５４の反対側に位置し、且つ金属レバー２５４の開口と金属レバー５４の開口とは対向している。
【００１３】
第一延伸部２５４２は、第一実施形態と同様に、バネ又はプローブ等を介して回路基板２１０のフィードイン点２１２に電気的に接続される。電流が金属レバー２５４に流れると、電流はフレーム２５２を経由して接地点２１４に導かれて回路を形成する。これにより、金属レバー２５４は、別の１種の無線周波モードを形成して、無線通信装置２００のアンテナとして無線信号を送受信する。設計及び製造の段階で、金属レバー２５４のサイズを調節することにより、無線通信装置２００は中心周波数が２４００ＭＨｚの無線信号〔例えば、Ｂｌｕｅｔｏｏｔｈ（登録商標）〕を送受信する時に、好ましい放射効率を獲得することができる。
【００１４】
図３及び図４に示すように、本発明の第三実施形態に係る無線通信装置３００は、回路基板３１０、液晶表示モジュール３３０及び金属部品３５０を備える。回路基板３１０には、２つのフィードイン点３１２、３１３、接地点３１４及びキープ・アウト・ゾーン３１６が設けられている。金属部品３５０は、フレーム３５２及びフレーム３５２と一体成形された第一金属レバー３５４を含む。フレーム３５２は、それぞれの端部が順次に連接された第一フレーム３５２１、第二フレーム３５２２、第三フレーム３５２３及び第四フレーム３５２４を備える。第一金属レバー３５４のフレーム３５２及びフィードイン点３１２に対する位置は、第二実施形態に記載した金属レバー２５４のフレーム２５２及びフィードイン点２１２に対する位置と同じであるため、ここでの詳しい説明は省略する。
【００１５】
第三実施形態において第二実施形態と異なる部分は、金属部品３５０が、フレーム３５２と一体成形された第二金属レバー３５６をさらに備える部分である。第二金属レバー３５６は、フレーム３５２における第一フレーム３５２１に設けられ、且つ回路基板３１０のキープ・アウト・ゾーン３１６の上方に対応して位置する。具体的には、第二金属レバー３５６は、第一延伸部３５６１、第二延伸部３５６２、第三延伸部３５６３及び第四延伸部３５６４を備える。第一延伸部３５６１は、第一フレーム３５２１の中間点に近い箇所に対して垂直に連接されている。第二延伸部３５６２は、第一延伸部３５６１に対して垂直に連接され、且つ第四フレーム３５２４まで第一フレーム３５２１に対して平行に延在する。第三延伸部３５６３は、第二延伸部３５６２に対して垂直に連接され、且つ第一フレーム３５２１から離れる方向に向かって延伸する。第四延伸部３５６４は、第三延伸部３５６３に対して垂直に連接され、且つ第二延伸部３５６２に対して平行となるように第一延伸部３５６１の外側（第一延伸部３５６１を越える範囲）まで延在する。
【００１６】
また、第一延伸部３５６１は、バネ又はプローブ等を介して回路基板３１０のフィードイン点３１３に電気的に接続される。電流が、第一金属レバー３５４及び第二金属レバー３５６に流れると、電流はフレーム３５２を経由して接地点３１４に導かれてそれぞれ回路を形成する。これにより、第一金属レバー３５４及び第二金属レバー３５６は、それぞれ１つの無線周波モードを形成して、無線通信装置３００のアンテナとして無線信号を送受信する。設計及び製造の段階において、第一金属レバー３５４及び第二金属レバー３５６のサイズを調節することにより、無線通信装置３００は、中心周波数が２４００ＭＨｚの無線信号〔例えば、Ｂｌｕｅｔｏｏｔｈ（登録商標）〕及び中心周波数が１５７５ＭＨｚの無線信号（例えば、ＧＰＳ）をそれぞれ送受信する時に、好ましい放射効率を獲得することができる。
【００１７】
上記の三つの実施形態において、アンテナの機能を担う金属レバー５４、金属レバー２５４、第一金属レバー３５４及び第二金属レバー３５６は、フレーム５２、２５２、３５２の液晶表示モジュールから離れている側にそれぞれ設けられている。これにより、無線通信装置１００、２００及び３００が無線信号を送受信する時に、液晶表示モジュールのノイズにより妨害されない。また、金属レバー５４、２５４、第一金属レバー３５４及び第二金属レバー３５６は、キープ・アウト・ゾーン１６、２１６、３１６の上方にそれぞれ設置されるため、アンテナの放射効率をさらに高めることができる。
【符号の説明】
【００１８】
１０、２１０、３１０  回路基板
１４、２１４、３１４  接地点
３０、２３０、３３０  液晶表示モジュール
１００、２００、３００  無線通信装置
１２、２１２、３１２、３１３  フィードイン点
１６、２１６、３１６  キープ・アウト・ゾーン
５０、２５０  金属部品
５２、２５２、３５２  フレーム
５４、２５４  金属レバー
５２１、２５２１、３５２１  第一フレーム
５２２、２５２２、３５２２  第二フレーム
５２３、２５２３、３５２３  第三フレーム
５２４、２５２４、３５２４  第四フレーム
３５４  第一金属レバー
３５６  第二金属レバー
５４２、２５４２、３５６１  第一延伸部
５４４、２５４４、３５６２  第二延伸部
３５６３  第三延伸部
３５６４  第四延伸部
【図１】
2014204442.tif 000003
【図２】
2014204442.tif 000004
【図３】
2014204442.tif 000005
【図４】
2014204442.tif 000006
【図５】
2014204442.tif 000007